(57)【要約】【課題】  土間コンクリートが打設された建物基礎における良好な断熱性と防蟻性とを確保するとともに、防蟻剤の効力持続期間に応じて再施工の容易な防蟻構造および防蟻施工方法を提供し、白蟻による被害を未然に防止する。【解決手段】  断熱材Ａは、下端部が土間コンクリート２０の上面から所定距離隔てた高さに備えられる。断熱材Ｂは、側縁部が断熱材Ａの下端部と土間コンクリート２０との間に嵌入して設けられる。基礎梁１０の内側面と土間コンクリート２０とが接合する隅部と、断熱材Ｂの側縁部との間には、粒状防蟻剤３１が充填される。これにより、基礎梁１０と土間コンクリート２０との打継ぎ部から断熱材Ａ，Ｂの内側に白蟻が侵入するのを防ぐ。【選択図】  図１
2005213837.tif 000002
【特許請求の範囲】
【請求項１】
基礎梁の内側面に断熱材Ａが添設されるとともに、基礎梁の内側に打設された土間コンクリート上面に断熱材Ｂが敷設される建物基礎の防蟻構造であって、
断熱材Ａの下端部が土間コンクリート上面から所定距離隔てた高さに備えられるとともに、断熱材Ｂの側縁部が断熱材Ａの下端部と土間コンクリートとの間に嵌入して設けられ、基礎梁の内側面と土間コンクリートとが接合する隅部と、断熱材Ｂの側縁部との間には防蟻剤が充填されて、基礎梁と土間コンクリートとの打継ぎ部から断熱材Ａ，Ｂの内側に白蟻が侵入するのを防ぐことを特徴とする防蟻構造。
【請求項２】
請求項１に記載の防蟻構造において、少なくとも断熱材Ａの下端部と断熱材Ｂとの当接面から断熱材Ｂの側縁部と基礎梁の内側面との当接面にかけて防蟻剤が施されたことを特徴とする防蟻構造。
【請求項３】
基礎梁の内側面と土間コンクリートとが接合する隅部と、断熱材Ｂの側縁部との間に充填される防蟻剤は、粒状防蟻剤であることを特徴とする請求項１または２に記載の防蟻構造。
【請求項４】
基礎梁の内側面に沿って断熱材Ａが添設されるとともに、基礎梁の内側に打設された土間コンクリート上面に断熱材Ｂが敷設される建物基礎の防蟻施工方法であって、
断熱材Ａを土間コンクリート上面から所定高さ隔てて基礎梁の内側面に打込みまたは接着により添設し、基礎梁の内側面と土間コンクリートとが接合する隅部に防蟻剤を配設したのち、断熱材Ａの下端部と土間コンクリートとの間に弾性を有する断熱材Ｂの側縁部を嵌入させて断熱材Ｂを土間コンクリートの上面に敷設し、断熱材Ｂと隅部との間を防蟻剤で充填することを特徴とする防蟻施工方法。
【発明の詳細な説明】
【技術分野】
【０００１】
本発明は、基礎梁の内側面および土間コンクリート上面に沿って断熱材が設けられる建物基礎部における防蟻構造および防蟻施工方法に関する。
【背景技術】
【０００２】
従来から、白蟻による住宅の被害が問題になっており、土壌に防蟻剤を散布したり防蟻シートを敷いたりする防蟻処理や、木材に薬剤を塗布する等の処理を施すことによって、白蟻の侵入および食害を最小限にとどめることがなされてきた。
【０００３】
ところで、近年では、住宅の断熱構造の合理化の観点から、基礎梁の内側面または外側面に断熱材を設置して、建物基礎における断熱性能の向上を図る方法が採用されるようになってきており、基礎梁に添設した断熱材の下端部をフーチング上面に達する深さまで地盤に埋設し、断熱効果を高めているケースもある。
【０００４】
しかし断熱材は、発泡ポリスチレン、発泡ポリエチレン等の発泡性樹脂からなるものであって、白蟻が容易に食い破ることができるため、断熱材を通って内側に白蟻が侵入してしまうおそれがあった。
【０００５】
そこで、例えば特許文献１に記載された断熱構造においては、基礎で囲まれた地盤上に防蟻シートを敷き、基礎梁の内側面に断熱材を添設し、この断熱材の下端部も防蟻シートで覆うことによって地盤と断熱材とを接触させない構成とし、断熱効果と防蟻効果の両方を確保することが図られている。
【特許文献１】特開２００３−１５８８１号公報
【発明の開示】
【発明が解決しようとする課題】
【０００６】
しかしながら、前記特許文献１において提案されているように防蟻シートを地盤上に敷き、断熱材をフーチング上面まで埋設する断熱構造では、土間コンクリートと基礎梁とを連続させて打設できないため、基礎の強度面における一体性や、防湿性および断熱性等が損なわれるおそれがある。
【０００７】
加えて、防蟻シート等の防蟻剤は一定の効力持続期間が経過すると効力を消失してしまうので、効力を消失する前に使用した防蟻剤を取り除き、新しい防蟻剤を配置しなおして防蟻性を維持することが可能な構造であることも望まれる。
【０００８】
本発明は、このような問題点にかんがみてなされたものであり、基礎梁の内側に土間コンクリートを打設した内断熱方式の建物基礎において、良好な断熱性と防蟻性とを確保するとともに、防蟻剤の効力持続期間に応じて再施工の容易な防蟻構造および防蟻施工方法を提供することを目的としている。
【課題を解決するための手段】
【０００９】
前記の課題を解決するために、本発明は基礎梁の内側面に断熱材Ａが添設されるとともに、基礎梁の内側に打設された土間コンクリート上面に断熱材Ｂが敷設される建物基礎の防蟻構造であって、断熱材Ａの下端部が土間コンクリート上面から所定距離隔てた高さに備えられるとともに、断熱材Ｂの側縁部が断熱材Ａの下端部と土間コンクリートとの間に嵌入して設けられ、基礎梁の内側面と土間コンクリートとが接合する隅部と、断熱材Ｂの側縁部との間には防蟻剤が充填されて、基礎梁と土間コンクリートとの打継ぎ部から断熱材Ａ，Ｂの内側に白蟻が侵入するのを防ぐことを特徴とする。
【００１０】
土間コンクリートと基礎梁との打継ぎ部には、経年的なコンクリートの硬化・収縮によってクラックを生じるおそれがあるが、本発明によれば、万一クラックが発生しても、基礎梁の内側面と土間コンクリートとが接合する隅部に、防蟻剤が充填配置されているので、白蟻が打継ぎ部の上部へ侵入するのを防ぐことができる。
【００１１】
また、本発明は前記の防蟻構造において、少なくとも断熱材Ａの下端部と断熱材Ｂとの当接面から断熱材Ｂの側縁部と基礎梁の内側面との当接面にかけて防蟻剤が施されたことを特徴とする。
【００１２】
これにより、断熱材同士の接合部においても効果的に白蟻の侵入を防ぐことができ、基礎梁と土間コンクリートで囲まれた床下空間への侵入路を完全に遮断することができる。
【００１３】
前記の防蟻構造において、基礎梁の内側面と土間コンクリートとが接合する隅部と、断熱材Ｂの側縁部との間に充填される防蟻剤は、粒状防蟻剤であることが好ましい。かかる防蟻剤に粒状のものを用いることで、当該箇所に防蟻剤を配設しやすく確実に充填することが可能となり、効果的に防蟻処理を施すことができる。
【００１４】
また、本発明は基礎梁の内側面に沿って断熱材Ａが添設されるとともに、基礎梁の内側に打設された土間コンクリート上面に断熱材Ｂが敷設される建物基礎の防蟻施工方法であって、断熱材Ａを土間コンクリート上面から所定高さ隔てて基礎梁の内側面に打込みまたは接着により添設し、基礎梁の内側面と土間コンクリートとが接合する隅部に防蟻剤を配設したのち、断熱材Ａの下端部と土間コンクリートとの間に弾性を有する断熱材Ｂの側縁部を嵌入させて断熱材Ｂを土間コンクリートの上面に敷設し、断熱材Ｂと隅部との間を防蟻剤で充填することを特徴とする。
【００１５】
この発明により、建物基礎において前記の防蟻構造を実施することが可能となって高い断熱性と防蟻性とを得ることができ、さらに防蟻剤の効力持続期間に応じて、断熱材Ｂを取り外して防蟻剤を再施工することが容易であるので、長期的に良好な防蟻性を維持することができる。
【発明の効果】
【００１６】
本発明は前記の構成により、基礎梁と土間コンクリートとの打継ぎ部に万一クラックを生じても、防蟻剤が基礎梁と土間コンクリートとが接続する隅部に充填配置されているので、白蟻の侵入を効果的に防ぐことができる。また、断熱材Ａの下端部と断熱材Ｂとの当接面から、断熱材Ｂの側縁部と基礎梁の内側面との当接面にかけて塗布されている防蟻剤によって、断熱材同士の接合部から白蟻が侵入することも防ぐことができる。さらに、本発明においては、防蟻剤の効力が消失する前に、土間コンクリート上から断熱材Ｂを取り外して、防蟻剤を再施工することが可能であるため、長期間にわたり高い防蟻性能を維持することができる。
【発明を実施するための最良の形態】
【００１７】
以下、本発明に係る防蟻構造の実施の形態について、図面を参照しつつ説明する。
【００１８】
図１は本発明に係る防蟻構造の実施例の一つを示す断面図である。本発明の防蟻構造は、壁の長さ方向に連続して設けられた布基礎により囲まれた床下空間において好適に実施される。
【００１９】
図示した建物基礎においては、基礎梁１０の内側（図１における右側領域）に土間コンクリート２０が打設され、この基礎梁１０の内側面と土間コンクリート２０の上面に断熱材Ａ，Ｂが設けられることで内断熱構造が形成される。
【００２０】
基礎梁１０の内側面に添設される断熱材Ａは、下端部が土間コンクリート２０の上面から所定距離隔てた高さに備えられている。特に例示の形態では、断熱材Ａの下端部は、土間コンクリート２０の上面からの高さが、断熱材Ｂの厚さよりも微少寸法小さい寸法となるように備えられて、断熱材Ａの下端部に断熱材Ｂが嵌入しうるように構成されている。かかる断熱材Ａには、発泡ポリエチレン、発泡ポリスチレン、発泡ポリウレタン等の発泡性樹脂を使用することができる。
【００２１】
土間コンクリート２０の上面に敷設される断熱材Ｂは、側縁部が断熱材Ａの下端部と土間コンクリート２０との間に嵌入されて設けられている。この断熱材Ｂは弾性を有するものであることが好ましく、例えば、グラスウール、ＰＥＴファイバー、羊毛等の天然繊維など、比較的柔らかく反発率の高い繊維素材をフィルムで被覆したものや、これらの繊維素材が表面に積層された発泡性樹脂、表面に柔軟性のある発泡性樹脂等があげられる。この断熱材Ｂの弾性によって、断熱材Ａの下端部や土間コンクリート２０に対する密着性が高められるとともに、断熱欠損を防いで効果的に断熱することができる。
【００２２】
また、本発明においては、基礎梁１０の内側面と土間コンクリート２０とが接合する隅部に粒状防蟻剤３１が配設されている。断熱材Ｂの側縁部は、断熱材Ａの下端部と土間コンクリート２０との間に嵌入されると、断熱材Ｂの側縁部が弾性により変形して、配設されている粒状防蟻剤３１に密着して隙間なく接合される。したがって、断熱材Ｂを敷設することにより、かかる隅部と断熱材Ｂの側縁部との間に粒状防蟻剤３１が充填配置された構成となって、基礎梁１０と土間コンクリート２０との打継ぎ部から断熱材Ａ，Ｂの内側に白蟻が侵入するのを防ぐことができる。
【００２３】
さらに、本実施の形態の防蟻構造においては、かかる断熱材Ａ，Ｂの接合部近傍に液状防蟻剤３２が塗布されている。具体的には、断熱材Ａの下部表面から、断熱材Ｂと当接する断熱材Ａの下端部、および基礎梁１０の内側面のうち断熱材Ａの添設されていない下部側面にかけて液状防蟻剤３２が塗布されている。
【００２４】
このとき、液状防蟻剤３２は、断熱材Ａの下端部、および基礎梁１０の内側面に直接塗布されても、また、断熱材Ｂの側縁部にあらかじめ塗布されて断熱材Ａの下端部と土間コンクリート２０との間に嵌入されてもよい。要は、液状防蟻剤３２が、少なくとも、断熱材Ａの下端部と断熱材Ｂとの当接面から、断熱材Ｂの側縁部と基礎梁１０の内側面との当接面にかけて塗布されていれば、効果的に白蟻の侵入を防ぐことが可能となる。また、このような液状防蟻剤３２に比較的粘度の高いものを使用すると、塗布部分の形状に追随して隙間なく塗布することができるので、白蟻の侵入路を完全に遮断することができる。
【００２５】
このような構成とされることで、本発明では基礎梁１０と土間コンクリート２０との打継ぎ部にクラックを生じても、クラックからの白蟻の侵入を効果的に防ぐことができ、また、塗布した液状防蟻剤により断熱材Ａ，Ｂの接合部からも白蟻が侵入するのを防ぐことができる。
【００２６】
なお、本発明の防蟻構造において、基礎梁１０の内側面と土間コンクリート２０とが接合する隅部と、断熱材Ｂの側縁部との間に充填される防蟻剤３１と、少なくとも断熱材Ａの下端部から断熱材Ｂとの当接面、断熱材Ｂの側縁部と基礎梁の内側面との当接面にかけて施される防蟻剤３２の材質は、前記した粒状または液状に限定されるものではなく、例えばシート状のものなど、どのような材質であってもよい。
【００２７】
次に、かかる構成を有する建物基礎の防蟻施工方法について説明する。
【００２８】
まず、基礎梁１０の内側面に断熱材Ａを添設する。断熱材Ａは、基礎と同時に打込むか、または基礎の打設後に基礎梁１０に接着させて一体とする。この断熱材Ａの下端部は、土間コンクリート２０の上面からの高さが、断熱材Ｂが嵌入されて断熱材Ａの下端部に密着しうる程度の高さ位置となるように設ける。
【００２９】
次に、塗布ローラ、刷毛等を用いて、断熱材Ａの下部表面と断熱材Ａの下端部に液状防蟻剤３２を塗布し、さらに、基礎梁１０の内側面のうち、断熱材Ａの添設されていない下部側面にも液状防蟻剤３２を塗布する。
【００３０】
次に、基礎梁１０の内側面と土間コンクリート２０とが接合する隅部に、粒状防蟻剤３１を配設する。粒状防蟻剤３１は、専用の散設器具を用いるなどして、隅部に対して均一かつ帯状に配設することが望ましい。
【００３１】
このように防蟻処理を施したのち、基礎梁１０の内側に打設された土間コンクリート２０の上面に、弾性を有する断熱材Ｂを敷設する。このとき、断熱材Ａの下端部と土間コンクリート２０との間に、断熱材Ｂの側縁部を嵌入させるようにし、断熱材Ｂの弾性によって側縁部を変形させ、基礎梁１０の内側面および粒状防蟻剤３１に対して密着するように敷設する。これにより、断熱材Ｂと隅部との間が粒状防蟻剤３１で充填されることになる。さらに、必要に応じて、この断熱材Ｂの側部に隣接して断熱材Ｃを敷設していき、土間コンクリート２０の上面全体に断熱層を形成してもよい。
【００３２】
以上のように、本発明の防蟻施工方法によれば、建物基礎に効率よく効果的な防蟻処理を施すことができ、断熱性と防蟻性と確保することができる。また、本発明によれば、敷設した断熱材Ｂを土間コンクリート２０の上面から取り外すことが可能であるので、防蟻剤の効力持続期間が経過する前に、一旦、断熱材Ｂを取り外し、使用した防蟻剤を取り除くとともに新たな防蟻剤を配設して再施工することができる。これにより、建物基礎における高い防蟻性能を長期間にわたって維持することができる。
【００３３】
なお、以上説明した構成はあくまでも実施の形態の一例であり、本発明の防蟻構造は、かかる構成に加えて、防蟻剤を適宜の箇所に適切に配置した構造も採用することができる。
【産業上の利用可能性】
【００３４】
本発明に係る防蟻構造および防蟻施工方法は、床下空間に土間コンクリートを設け、内断熱構造を採用した建物基礎における断熱性と防蟻性を長期間にわたり良好な状態で確保するために好適に利用することができる。
【図面の簡単な説明】
【００３５】
【図１】本発明の実施の形態を示す断面図である。
【符号の説明】
【００３６】
基礎梁  １０
土間コンクリート  ２０
断熱材  Ａ
断熱材  Ｂ
粒状防蟻剤  ３１
液状防蟻剤  ３２
【図１】
2005213837.tif 000003